(57)【要約】【課題】ゴミや不純物等の異物を捕捉する網目フィルタを有するストレーナ装置において、温水ユニットの循環水に溶解しているカルシウム成分をも除去し得るようにする。【解決手段】温水循環路内の循環水に含まれているゴミや不純物等の異物を捕捉する網目フィルタ５５を有するストレーナ装置５０において、少なくともストレーナ装置５０内を流れる循環水を６０℃以上に加熱して、水中に溶解しているカルシウム成分を析出して除去するための析出用電気ヒータを備えている。【選択図】図２
2015167883.tif 000002
【特許請求の範囲】
【請求項１】
温水循環路内の循環水に含まれているゴミや不純物等の異物を捕捉する網目フィルタを有するストレーナ装置において、
上記循環水を６０℃以上に加熱して、水中に溶解しているカルシウム成分を析出して除去するための析出用電気ヒータを備えていることを特徴とするストレーナ装置。
【請求項２】
上記析出用電気ヒータが、上記網目フィルタに配線された電熱線よりなることを特徴とする請求項１に記載のストレーナ装置。
【請求項３】
上記循環水に含まれている磁性体を磁気的に吸着する磁性体吸着手段として、鉄心と電磁コイルとからなる電磁石をさらに備えていることを特徴とする請求項１ないし２のいずれか１項に記載のストレーナ装置。
【請求項４】
上記電磁石の電磁コイルが、上記析出用電気ヒータの電熱線を兼ねていることを特徴とする請求項３に記載のストレーナ装置。
【請求項５】
温水循環路を有する温水ユニットと、上記温水循環路内の循環水を所定温度に加熱する熱源としてのヒートポンプユニットと、上記温水循環路の一部に含まれる放熱回路を有する暖房ユニットとを備えている温水暖房装置において、
上記温水ユニットの上記温水循環路内には、請求項１ないし４のいずれか１項に記載のストレーナ装置と、上記温水循環路内の循環水を循環させる循環ポンプとが組み込まれており、上記ストレーナ装置が備える上記析出用電気ヒータおよび上記循環ポンプを制御する制御部を備え、
上記制御部は、上記ヒートポンプユニットが休止しているとき、上記循環ポンプを駆動して上記温水循環路内に循環水を循環させた状態で、上記析出用電気ヒータに通電して少なくとも上記ストレーナ装置内の循環水を６０℃以上に加熱して、循環水中に溶解しているカルシウム成分を上記析出用電気ヒータの周りに析出させることを特徴とする温水暖房装置。
【請求項６】
上記温水循環路内の水を加熱する補助用電気ヒータをさらに備え、上記制御部は、少なくとも上記ストレーナ装置内の循環水を６０℃以上にまで加熱するにあたって、上記析出用電気ヒータおよび補助用電気ヒータの双方に通電して上記温水循環路内の循環水を加熱し、少なくとも上記ストレーナ装置内の水温が６０℃未満の所定温度に達した時点で、上記補助用電気ヒータへの通電をオフとし、以後は上記析出用電気ヒータにのみ通電することを特徴とする請求項６に記載の温水暖房装置。
【発明の詳細な説明】
【技術分野】
【０００１】
本発明は、温水ユニットにおける温水循環路の循環水に含まれているゴミや不純物等の異物を取り除くストレーナ装置に関し、さらに詳しく言えば、循環水中に溶解しているカルシウム成分も除去することができるストレーナ装置に関する。
【背景技術】
【０００２】
最近では、石油やガスなどの化石燃料を使用する燃焼系の温水暖房装置に代えて、ヒートポンプユニットを熱源とする温水暖房装置が提案されている。その一例として、例えば特許文献１には、ヒートポンプユニットを熱源とし、水−冷媒熱交換器を介して温水ユニットとの間で熱交換することで温水を生成して、その温水を温水循環路内に循環させて給湯用タンクや床暖房器で放熱するヒートポンプ式温水暖房装置が提案されている。
【０００３】
特許文献１に記載のヒートポンプ式温水暖房装置によれば、ヒートポンプユニットを熱源としているため、火災などの事故が起きにくく、ＣＯ２排出量も少ないため地球環境にも優しい。また、ヒートポンプユニットの駆動制御が細かく設定できるため、温水の設定温度を低温から高温まで幅広く設定することができる。
【０００４】
ところで、この種の温水暖房装置は、水を熱媒体として用いており、水に含まれているゴミ等のゴミや不純物等の異物を除去するためのストレーナ装置が温水ユニットの温水循環路内に組み込まれている。
【０００５】
その一例として特許文献２には、目の細かなメッシュスクリーンを円筒状に形成した網目フィルタ内に永久磁石が収納され、温水ユニットの温水循環路内に組み込まれるストレーナ装置が開示されている。
【０００６】
このストレーナ装置によれば、網目フィルタにて温水循環路内を流れる異物が捕捉され、また、水中に配管等から剥離した金属片等の磁性体が浮遊している場合には、その磁性体を永久磁石にて吸着することができる。
【０００７】
また、温水循環路内の循環水には、通常、水道水が用いられるため、循環水内にはカルシウム成分（炭酸水素カルシウム：Ｃａ（ＨＣＯ３）２）が溶解している。このカルシウム成分は、水温が６０℃を越えると、炭酸カルシウム：ＣａＣＯ３として析出して管壁などに付着する。
【０００８】
この析出された炭酸カルシウムは、スケール（水垢とも言う）と呼ばれ、特に熱交換器は高温であり、そのパス長も長いため、スケールが付着しやすい。長期間の使用でスケールの付着量が多くなると、熱交換効率の低下や、最悪の場合は管の閉塞も懸念される。また、圧力や水温等を検知するセンサ類にも悪影響をおよぼすおそれがある。
【０００９】
しかしながら、上記従来のストレーナ装置では、網目フィルタと永久磁石とにより、管内を流れる異物や金属片等の磁性体を除去することができても、大きさがミクロンサイズと小さく、さらに磁性を有していない炭酸カルシウムを捕捉除去することは困難であった。
【先行技術文献】
【特許文献】
【００１０】
【特許文献１】特開２０１３−１８５８０３号公報
【特許文献２】特開２０１０−２７９８８７号公報
【発明の概要】
【発明が解決しようとする課題】
【００１１】
そこで、本発明の課題は、ゴミや不純物等の異物を捕捉する網目フィルタを有するストレーナ装置において、温水ユニットの循環水に溶解しているカルシウム成分をも除去し得るストレーナ装置を提供することにある。
【課題を解決するための手段】
【００１２】
上述した課題を解決するため、本発明は、温水循環路内の循環水に含まれているゴミや不純物等の異物を捕捉する網目フィルタを有するストレーナ装置において、上記循環水を６０℃以上に加熱して、水中に溶解しているカルシウム成分を析出して除去するための析出用電気ヒータを備えていることを特徴としている。
【００１３】
より好ましい態様として、上記析出用電気ヒータが、上記網目フィルタに配線された電熱線よりなる。
【００１４】
また、上記循環水に含まれている磁性体を磁気的に吸着する磁性体吸着手段として、鉄心と電磁コイルとからなる電磁石をさらに備えている。より好ましい態様として、上記電磁石の電磁コイルが、上記析出用電気ヒータの電熱線を兼ねている。
【００１５】
本発明には、このストレーナ装置を備えた温水暖房装置も含まれる。温水循環路を有する温水ユニットと、上記温水循環路内の循環水を所定温度に加熱する熱源としてのヒートポンプユニットと、上記温水循環路の一部に含まれる放熱回路を有する暖房ユニットとを備えている温水暖房装置において、上記温水ユニットの上記温水循環路内には、本発明のストレーナ装置と、上記温水循環路内の循環水を循環させる循環ポンプとが組み込まれており、上記ストレーナ装置が備える上記析出用電気ヒータおよび上記循環ポンプを制御する制御部を備え、上記制御部は、上記ヒートポンプユニットが休止しているとき、上記循環ポンプを駆動して上記温水循環路内に循環水を循環させた状態で、上記析出用電気ヒータに通電して少なくとも上記ストレーナ装置内の循環水を６０℃以上に加熱して、循環水中に溶解しているカルシウム成分を上記析出用電気ヒータの周りに析出させる。
【００１６】
さらに、上記温水循環路内の水を加熱する補助用電気ヒータをさらに備え、上記制御部は、少なくとも上記ストレーナ装置内の循環水を６０℃以上にまで加熱するにあたって、上記析出用電気ヒータおよび補助用電気ヒータの双方に通電して上記温水循環路内の循環水を加熱し、少なくとも上記ストレーナ装置内の水温が６０℃未満の所定温度に達した時点で、上記補助用電気ヒータへの通電をオフとし、以後は上記析出用電気ヒータにのみ通電する。
【発明の効果】
【００１７】
本発明によれば、温水循環路内の温水に含まれているゴミや不純物等の異物を捕捉する網目フィルタを有するストレーナ装置において、少なくとも上記ストレーナ装置内の温水（循環水）を６０℃以上に加熱して、水中に溶解しているカルシウム成分を析出して除去するための析出用電気ヒータを備えていることから、析出用電気ヒータに通電することにより、水中に溶解しているカルシウム成分を析出させて除去することができる。
【００１８】
また、網目フィルタに、ニクロム線等からなる電熱線を編み込むことにより、網目フィルタを析出用電気ヒータとしても使用することができ、部品点数の削減による構成の簡素化および装置の小形化がはかれる。
【００１９】
また、磁性体吸着手段としての鉄心と電磁コイルとからなる電磁石をさらに備える構成によれば、電磁コイルに通電することにより、水中に浮遊している磁性体（金属片等）を適宜電磁石で磁気的に吸着することができ、金属片等による温水部品（例えばセンサ類）の破損が防止される。
【００２０】
また、本発明の温水暖房装置によれば、温水ユニットの温水循環路内に、上記した析出用電気ヒータを有するストレーナ装置が組み込まれているため、水−冷媒熱交換器や配管等へのスケール（炭酸カルシウム）の付着による性能低下を防止することができる。
【図面の簡単な説明】
【００２１】
【図１】本発明の実施形態に係るストレーナ装置を備えた温水暖房装置の構成を示すブロック図。
【図２】上記ストレーナ装置の内部構造を模式的に示した断面図。
【図３】上記ストレーナ装置によるスケール除去工程の一例を示すフローチャート。
【発明を実施するための形態】
【００２２】
次に、本発明の実施形態について図１〜図３を参照しながら説明するが、本発明はこれに限定されるものではない。
【００２３】
図１に示すように、この実施形態に係る温水暖房装置１０は、ヒートポンプユニット２０と、ヒートポンプユニット２０を熱源とする温水ユニット３０と、利用側の暖房端末を備えた暖房ユニット４０とを備えている。
【００２４】
ヒートポンプユニット２０は、冷媒を圧縮する圧縮機２１、凝縮器２２、膨張弁２３および蒸発器２４を備え、それらを冷媒配管２５で接続した冷媒回路を有している。
【００２５】
ヒートポンプユニット２０は、四方弁を備えた冷房と暖房の切換が可能な可逆サイクル方式であってもよいが、本発明において、ヒートポンプユニット２０は、暖房用の熱源として用いるため、可逆サイクルのため四方弁は特に必要としない。したがって、温水ユニット３０の循環水を加熱する熱源となりうる最小限の機能を備えていればよく、各構成要素の具体的な構成は、仕様に応じて任意に選定されてよい。
【００２６】
ヒートポンプユニット２０と温水ユニット３０との間には、ヒートポンプユニット２０を流れる冷媒と、温水ユニット３０を流れる熱媒体としての水とを熱交換する熱交換器６０が設けられている。
【００２７】
熱交換器６０は、水−冷媒熱交換器であって、この実施形態において、温水ユニット３０の温水循環路３１の一部分に設けられている所定容積の循環水用のタンク６１内に凝縮器２２が収納され、タンク６１内で循環水が凝縮器２２により加熱されて温水が生成される。なお、図示しないが、熱交換器６０を例えば二重管熱交換器としてもよい。
【００２８】
温水ユニット３０は、熱交換器６０で生成された温水（循環水）が循環する温水循環路３１を備えている。温水循環路３１は、往路側（温水送出側）の温水接続口３１ａと復路側（温水戻り側）の温水接続口３１ｂを介して暖房ユニット４０側の放熱回路４１と接続される。
【００２９】
このように、温水循環路３１の一部に、暖房ユニット４０側の放熱回路４１が含まれるが、以下の説明において、温水循環路３１と放熱回路４１を特に区別する必要がない場合には、放熱回路４１を含めて温水循環路３１と言う。
【００３０】
温水循環路３１のうちの熱交換器６０と温水接続口３１ａとの間の往路側配管３１１には、熱交換器６０で加熱された温水をさらに加熱する補助ヒータ装置３２を備えている。
【００３１】
補助ヒータ装置３２は、上部側に温水流入口３２ｂ、下部側に温水流出口３２ｃを有する筒状ケーシング３２ａを備え、図示しないが、筒状ケーシング３２ａ内には、補助用電気ヒータが収納されている。
【００３２】
補助ヒータ装置３２は、熱交換器６０にて生成された温水の温度が所定温度に達していない場合に、図示しない給電電源から補助用電気ヒータに通電され、循環水の温度を所定温度にまで高める。なお、補助用電気ヒータへの通電制御は、温水ユニット３０に設けられている制御部（ＣＰＵ）７０によって行われる。
【００３３】
補助ヒータ装置３２には、空気抜き弁３３が取り付けられている。空気抜き弁３３は、補助ヒータ装置３２内に溜まった空気を大気中に放出するため、補助ヒータ装置３２の上端に取り付けられている。
【００３４】
温水循環路３１のうちの温水接続口３１ｂと熱交換器６０との復路側配管３１２には、ストレーナ装置５０、圧力計３５、膨張タンク３６、圧力安全弁３７、給排水弁３８および循環ポンプ３９がそれぞれ配置されている。
【００３５】
圧力計３５は、温水循環路３１内の管内圧力を測定するために用いられる。圧力計３５の測定データは、制御部７０に送られる。
【００３６】
膨張タンク３６は、循環水の熱膨張を吸収するタンクである。圧力安全弁３７は、循環水が沸騰するなどして温水循環路３１内の管圧が規定値以上となった際に、管破裂を防ぐために強制的に温水循環路３１を外気に開放するリリーフバルブである。
【００３７】
給排水弁３８は、温水循環路３１内に水を注水したり、温水循環路３１内の循環水を抜き取るために設けられており、その先端には、水道管などに接続されるニップルと開閉コック（ともに図示しない）が設けられている。
【００３８】
循環ポンプ３９は、温水循環路３１内の循環水を一方向（この実施形態では時計回り）に循環させるためのポンプであって、制御部７０により、その駆動が制御される。
【００３９】
暖房ユニット４０は、往路側の温水接続口３１ａと復路側の温水接続口３１ｂとを介して、温水ユニット３０側の温水循環路３１に接続される放熱回路４１を備えている。放熱回路４１には、熱源の利用側としての暖房端末４２が設けられている。暖房端末４２は、例えば床暖房装置やラジエータ、ファンコンベクタなどであってよい。
【００４０】
本発明の特徴は、ストレーナ装置５０にある。図２に示すように、ストレーナ装置５０は、例えば黄銅などの鋳造品からなる円筒状の継手管５１と、継手管５１に着脱自在に取り付けられるフィルタユニット５２とを備えている。
【００４１】
なお、この実施形態において、図１に示すように、継手管５１は、復路側配管３１２おける例えば温水接続口３１ｂと圧力計３５との間の配管部分に介装されているが、これ以外の配管部分に介装されてもよい。往路側配管３１１側の配管部分であってもよい。
【００４２】
継手管５１は、両端に接続口５１ａ、５１ｂを有し、これらの接続口５１ａ、５１ｂが、例えばフレア継手３１３，３１３とフレアナット３１４，３１４を介して復路側配管３１２の上流側の配管端部３１２ａと下流側の配管端部３１２ｂとに接続され、これにより、継手管５１内の流路５１ｃには、温水循環路３１内の循環水が図２に示す矢印方向（右から左）に流れる。
【００４３】
この実施形態において、フィルタユニット５２は、筒状に形成された網目フィルタ５５と、網目フィルタ５５内に好ましくは同軸的に配置された電磁石５６とを備えている。また、継手管５１は、フィルタユニット５２を継手管５１の流路５１ｃ内に導き入れるためのフィルタ装着部５３を備えている。
【００４４】
この実施形態において、フィルタ装着部５３は、継手管５１の管壁から循環水の流れ方向に沿って斜め方向に一体として引き出された傾斜管部５３１と、傾斜管部５３１よりも下流側で継手管５１の管壁からほぼ垂直に一体として引き出された垂直管部５３２とを含む、軸線が傾けられた分岐管状に形成されている。
【００４５】
フィルタユニット５２は、上流側の配管端部３１２ａ（一方の接続口５１ａ）側から流入する循環水が、網目フィルタ５５の上端開口部５５１から網目フィルタ５５内に流れるように、傾斜管部５３１に沿って継手管５１内に配置される。
【００４６】
この実施形態によると、継手管５１のフィルタ装着部５３とは反対側の管壁には、網目フィルタ５５を継手管５１内に配置した際、その上端開口部５５１の角部が当接するように凹まされた湾曲凹部５１１が設けられ、これにより、循環水の多くが網目フィルタ５５内を通るようにしている。
【００４７】
フィルタ装着部５３の開口部には、蓋板５４が例えば水密的なねじ嵌合等により着脱自在に取り付けられており、この蓋板５４に、フィルタユニット５２の網目フィルタ５５と電磁石５６とが支持されている。すなわち、フィルタユニット５２は、蓋板５４を介して継手管５１に着脱可能である。
【００４８】
網目フィルタ５５は、循環水に含まれているゴミや不純物等の異物を捕捉し得る目の細かな番手の網体からなるが、この実施形態において、網目フィルタ５５は、循環水中に溶解しているカルシウム成分を析出する析出用電気ヒータとして兼用できるようにするため、その一部好ましくは全部が電熱線により形成されている。
【００４９】
電熱線には、循環水を６０℃以上に加熱し得る発熱容量を有するニクロム線等が用いられるが、循環水内に浸漬されることから、防水処理が施されていることが必要である。上記したように、網目フィルタ５５の全体が電熱線により網状に形成されることが好ましいが、網目フィルタ５５の一部に電熱線を編み込んでもよい。なお、電熱線は、網目フィルタ５５に一体的に編み込まれている必要は必ずしも無く、その内周もしくは外周に沿って配線されていればよい。
【００５０】
なお、本発明は、この実施形態とは異なり、網目フィルタ５５とは別に、電熱線からなる単独として形成された析出用電気ヒータをさらに備える態様を排除するものではない。
【００５１】
電磁石５６は、棒状の鉄心５６１と、鉄心５６１の周囲に巻回される電磁コイル５６２とを有する一般的な電磁石であってよいが、循環水内に浸漬されることから、電磁コイル５６２には、上記電熱線と同じく、防水処理を施す必要がある。
【００５２】
なお、電磁コイル５６２は通電によって発熱する。そこで、電磁コイル５６２カルシウムを析出させる析出用ヒータとして用いることもできる。このような態様も本発明に含まれる。
【００５３】
この実施形態において、蓋板５４には、網目フィルタ５５の電熱線および電磁コイル５６２の図示しない各接続端子を含む電源接続部５４１が設けられ、この電源接続部５４１に、図示しない給電電源側の給電用コネクタ５４２が接続される。この実施形態において、電源接続部５４１と給電用コネクタ５４２は、ねじ嵌合により着脱自在となっている。
【００５４】
このストレーナ装置５０によれば、網目フィルタ５５に編み込まれている電熱線に通電することにより、異物を除去する網目フィルタ５５をカルシウム析出用のヒータとしても用いることができる。
【００５５】
また、電磁コイル５６２に通電（直流通電）して電磁石５６にＮ，Ｓ磁極を発生させることにより、循環水中に浮遊している金属片等の磁性体を電磁石５６に磁気的に吸着することができる。
【００５６】
次に、図３のフローチャートを参照して、上記ストレーナ装置によるカルシウム除去手順の一例について説明する。このカルシウム除去工程は、温水暖房装置１０の設置時か、もしくは、メンテナンス時に配管内の循環水を入れ替えた後に行われ、ユーザーの使用に供する本運転前に、循環水に含まれているカルシウム成分を予め除去する。
【００５７】
設置時について説明すると、ヒートポンプユニット２０と温水ユニット３０は予め連結されているとして、温水ユニット３０に暖房ユニット４０を配管接続してヒートポンプユニット２０、温水ユニット３０および暖房ユニット４０の電源を含む温水暖房装置１０のすべての電源をオフとし（ステップＳＴ１）、温水ユニット３０の空気抜き弁３３を大気開放する（ステップＳＴ２）。
【００５８】
次に、給排水弁３８に図示しない給水パイプを接続し、温水循環路３１内に水（例えば、水道水）を注水する（ステップＳＴ３）。その際、圧力計３５を確認して、配管内が規定圧力になるまで注水をしたのち（ステップＳＴ４）、給水パイプを抜き、給排水弁３８を閉じる（ステップＳＴ５）。以上により、温水循環路３１内に循環水が注水される。
【００５９】
注水が完了したのち、温水ユニット３０の電源を投入し、カルシウム除去モードを選択する（ＳＴ６）。このとき、ヒートポンプユニット２０の電源はオフであり、ヒートポンプユニット２０は停止している。
【００６０】
これにより、制御部７０は、循環ポンプ３９を駆動して、温水循環路３１内の水を循環させ（ステップＳＴ７）、ストレーナ装置５０の析出用ヒータとしての網目フィルタ５５に配線された電熱線および補助用ヒータ装置３２への通電を開始し、温水循環路３１内の循環水を加熱する（ステップＳＴ８）。
【００６１】
制御部７０は、図示しない温度センサを介して継手管５１内の循環水の水温を監視し、その水温が６０℃未満で予め設定されている所定温度（例えば５０℃）となったと判断すると（ステップＳＴ９）、補助用ヒータ装置３２の電源をオフとし、析出用ヒータとしての網目フィルタ５５の電熱線への通電を継続する（ステップＳＴ１０）。
【００６２】
継手管５１内の循環水の水温が６０℃以上になると、循環水に含まれているカルシウム成分（炭酸水素カルシウム：Ｃａ（ＨＣＯ３）２が網目フィルタ５５の電熱線の表面に炭酸カルシウム（ＣａＣＯ３）として析出し始める。
【００６３】
そこで、制御部７０は、継手管５１内の循環水の水温が６０℃に達したと判断すると（ステップＳＴ１１）、図示しないタイマーを起動して、所定の設定時間（例えば３０分）になるまで網目フィルタ５５の電熱線への通電を継続する（ステップＳＴ１２）。この通電時間の設定は、循環水の水量や水質等に応じて適宜決められてよい。
【００６４】
上記ステップ１２での判定がＹＥＳで、所定の設定時間が経過すると、制御部７０は、循環ポンプ３９と網目フィルタ５５の電熱線への通電をともにオフとして（ステップＳＴ１３）、一連のカルシウム除去工程を終える。
【００６５】
このカルシウム除去工程は、例えばメンテナンスなどの際に、循環水を入れ替えた際にも、同様にして本運転開始前に行われる。
【００６６】
なお、上記実施形態では、補助用ヒータ装置３２と網目フィルタ５５の電熱線との両方に通電して、循環水の水温を析出温度域よりも低い６０℃未満の所定温度まで昇温するようにしているが、当初から網目フィルタ５５の電熱線のみに通電して、循環水を６０℃以上に加熱するようにしてもよい。このような態様も本発明に含まれる。また、循環水を６０°未満の所定温度まで昇温させるためにヒートポンプユニット２０を運転してもよい。
【００６７】
また、上記したように、電磁コイル５６２に通電して電磁石５６にＮ，Ｓ磁極を発生させることにより、循環水中に浮遊している金属片等の磁性体を電磁石５６に磁気的に吸着することができるが、電磁コイル５６２への通電は、カルシウム除去工程中に行われてもよいし、カルシウム除去前もしくはカルシウム除去後に行われてもよい。
【００６８】
また、フィルタユニット５２は、管継手５１に着脱可能であるため、この温水暖房装置の設置後もしくはメンテナンス後に、網目フィルタ５５や電磁石５６の清掃を容易に行うことができる。
【符号の説明】
【００６９】
１０  温水暖房装置
２０  ヒートポンプユニット
２１  圧縮機
２２  凝縮器
２３  膨張弁
２４  蒸発器
３０  温水ユニット
３１  温水循環路
３２  補助用ヒータ装置
３３  エア抜き弁
３５  圧力計
３６  膨張タンク
３７  給排水弁
３８  圧力安全弁
３９  循環ポンプ
４０  暖房ユニット
４１  放熱回路
４２  暖房端末
５０  ストレーナ装置
５１  継手管
５２  フィルタユニット
５３  フィルタ装着部
５４  蓋板
５５  網目フィルタ
５６  電磁石
５６１  鉄心
５６２  電磁コイル
６０  熱交換器
７０  制御部
【図１】
2015167883.tif 000003
【図２】
2015167883.tif 000004
【図３】
2015167883.tif 000005